(57)【要約】【課題】原稿種別に応じてＡＣＳの判定基準を変更することができる画像処理方法、画像処理装置、画像形成装置、コンピュータプログラム、及び記録媒体の提供。【解決手段】原稿種別が印画紙写真である場合（Ｓ４１：ＹＥＳ）、濃度閾値を低く、無彩判定度数閾値を高く設定し（Ｓ４２）、印刷写真である場合（Ｓ４３：ＹＥＳ）、濃度閾値を高く、無彩判定度数閾値を低く設定する（Ｓ４４）。そして、有彩画素を含む画像データについて作成したヒストグラムの最大度数濃度値、最大濃度領域の総度数値に基づいて、モノクロ複写すべき原稿であるか、又はカラー複写すべき原稿であるかを判断し（Ｓ４６，４８）、判断結果に応じて必要な処理を行う（Ｓ４９，Ｓ５０）。【選択図】図１３
2008035478.tif 000002
【特許請求の範囲】
【請求項１】
原稿を読取ることにより得られる画像データに対して原稿種別に応じた画像処理を施す画像処理方法において、
前記原稿が有彩色を含む原稿であるか否かについての判断基準を原稿種別に基づいて設定し、設定した判断基準に基づいて有彩色を含む原稿であるか否かを判断し、判断結果に応じた画像処理を前記画像データに対して施すことを特徴とする画像処理方法。
【請求項２】
原稿種別が印画紙写真原稿であるか否かを判断し、原稿種別が印画紙写真原稿であると判断した場合、前記原稿が有彩色を含む原稿であると判断され易くなるような判断基準を設定することを特徴とする請求項１に記載の画像処理方法。
【請求項３】
原稿種別が印刷写真原稿であるか否かを判断し、原稿種別が印刷写真原稿である場合、前記原稿が無彩色の原稿であると判断され易くなるような判断基準を設定することを特徴とする請求項１に記載の画像処理方法。
【請求項４】
原稿を読取ることにより得られる画像データに対して原稿種別に応じた画像処理を施す画像処理方法において、
前記画像データに含まれる画素のうち注目画素が少なくとも文字領域又は網点領域に属するか否かを判定し、判定した結果に基づいて前記原稿が有彩色を含む原稿であるか否かについての判断基準を設定し、設定した判断基準に基づいて有彩色を含む原稿であるか否かを判断し、判断結果に応じた画像処理を前記画像データに対して施すことを特徴とする画像処理方法。
【請求項５】
前記注目画素が文字領域に属すると判定した場合、前記原稿が有彩色を含む原稿であると判断され易くなるような判断基準を設定することを特徴とする請求項４に記載の画像処理方法。
【請求項６】
前記注目画素が網点領域に属すると判定した場合、前記原稿が無彩色の原稿であると判断され易くなるような判断基準を設定することを特徴とする請求項４に記載の画像処理方法。
【請求項７】
原稿を読取ることにより得られる画像データに対して原稿種別に応じた画像処理を施す画像処理装置において、
前記原稿が有彩色を含む原稿であるか否かについての判断基準を原稿種別に基づいて設定する手段と、設定した判断基準に基づいて有彩色を含む原稿であるか否かを判断する手段と、判断結果に応じた画像処理を前記画像データに対して施す手段とを備えることを特徴とする画像処理装置。
【請求項８】
原稿種別が印画紙写真原稿であるか否かを判断する手段を備え、原稿種別が印画紙写真原稿であると判断した場合、前記原稿が有彩色を含む原稿であると判断され易くなるような判断基準を設定するようにしてあることを特徴とする請求項７に記載の画像処理装置。
【請求項９】
原稿種別が印刷写真原稿であるか否かを判断する手段を備え、原稿種別が印刷写真原稿であると判断した場合、前記原稿が無彩色の原稿であると判断され易くなるような判断基準を設定するようにしてあることを特徴とする請求項７に記載の画像処理装置。
【請求項１０】
原稿を読取ることにより得られる画像データに対して原稿種別に応じた画像処理を施す画像処理装置において、
前記画像データに含まれる画素のうち注目画素が少なくとも文字領域又は網点領域に属するか否かを判定する手段と、該手段による判定結果に基づいて前記原稿が有彩色を含む原稿であるか否かについての判断基準を設定する手段と、設定した判断基準に基づいて有彩色を含む原稿であるか否かを判断する手段と、該手段による判断結果に応じた画像処理を前記画像データに対して施す手段とを備えることを特徴とする画像処理装置。
【請求項１１】
前記注目画素が文字領域に属すると判定した場合、前記原稿が有彩色を含む原稿であると判断され易くなるような判断基準を設定するようにしてあることを特徴とする請求項１０に記載の画像処理装置。
【請求項１２】
前記注目画素が網点領域に属すると判定した場合、前記原稿が無彩色の原稿であると判断され易くなるような判断基準を設定するようにしてあることを特徴とする請求項１０に記載の画像処理装置。
【請求項１３】
請求項７乃至請求項１２の何れか１つに記載の画像処理装置と、該画像処理装置によって画像処理が施された画像データに基づいてシート上に画像形成を行う手段とを備えることを特徴とする画像形成装置。
【請求項１４】
コンピュータに、原稿を読取ることにより得られた画像データに対して原稿種別に応じた画像処理を施させるコンピュータプログラムにおいて、
コンピュータに、前記原稿が有彩色を含む原稿であるか否かについての判断基準を原稿種別に基づいて設定させるステップと、コンピュータに、設定させた判断基準に基づいて有彩色を含む原稿であるか否かを判断させるステップと、コンピュータに、判断結果に応じた画像処理を前記画像データに対して施させるステップとを有することを特徴とするコンピュータプログラム。
【請求項１５】
コンピュータに、原稿を読取ることにより得られた画像データに対して原稿種別に応じた画像処理を施させるコンピュータプログラムにおいて、
コンピュータに、前記画像データに含まれる画素のうち注目画素が少なくとも文字領域又は網点領域に属するか否かを判定させるステップと、コンピュータに、判定させた結果に基づいて前記原稿が有彩色を含む原稿であるか否かについての判断基準を設定させるステップと、コンピュータに、設定させた判断基準に基づいて有彩色を含む原稿であるか否かを判断させるステップと、コンピュータに、判断結果に応じた画像処理を前記画像データに対して施させるステップとを有することを特徴とするコンピュータプログラム。
【請求項１６】
コンピュータに、原稿を読取ることにより得られた画像データに対して原稿種別に応じた画像処理を施させるコンピュータプログラムが記録されているコンピュータでの読取りが可能な記録媒体において、
コンピュータに、前記原稿が有彩色を含む原稿であるか否かについての判断基準を原稿種別に基づいて設定させるステップと、コンピュータに、設定させた判断基準に基づいて有彩色を含む原稿であるか否かを判断させるステップと、コンピュータに、判断結果に応じた画像処理を前記画像データに対して施させるステップとを有するコンピュータプログラムが記録されていることを特徴とするコンピュータでの読取りが可能な記録媒体。
【請求項１７】
コンピュータに、原稿を読取ることにより得られた画像データに対して原稿種別に応じた画像処理を施させるコンピュータプログラムが記録されているコンピュータでの読取りが可能な記録媒体において、
コンピュータに、前記画像データに含まれる画素のうち注目画素が少なくとも文字領域又は網点領域に属するか否かを判定させるステップと、コンピュータに、判定させた結果に基づいて前記原稿が有彩色を含む原稿であるか否かについての判断基準を設定させるステップと、コンピュータに、設定させた判断基準に基づいて有彩色を含む原稿であるか否かを判断させるステップと、コンピュータに、判断結果に応じた画像処理を前記画像データに対して施させるステップとを有するコンピュータプログラムが記録されていることを特徴とするコンピュータでの読取りが可能な記録媒体。
【発明の詳細な説明】
【技術分野】
【０００１】
本発明は、原稿種別に応じてＡＣＳの判定基準を変更することができる画像処理方法、画像処理装置、画像形成装置、コンピュータプログラム、及び記録媒体に関する。
【背景技術】
【０００２】
電子複写機などの画像形成装置は、従来のアナログ式のほかにデジタル式のものが普及しており、またデジタル画像処理技術の進展によって、カラー画像を高画質に再現するフルカラーのデジタル複写機が製品化されている。一般にフルカラーデジタル複写機は、複数のトナーを用いてカラー再現が行われる。また、ブラックのトナーのみを用いるモノクロモードを有している。モノクロモードにおける複写は、ブラックのトナーのみを用いるので複数のトナー像を順に重ね合わせるカラー複写と比べてコストが低く、所用時間が短い。
【０００３】
そこで、原稿がカラー原稿であるかモノクロ原稿であるかを判断し、原稿に応じた複写モードを設定するＡＣＳ（Auto Color Selection）機能が実用化されている（例えば、特許文献１参照）。この機能は、特にＡＤＦ（自動原稿送り装置）を使用して多数の原稿を複写する場合に有用である。利用者がカラー原稿とモノクロ原稿とを区別する必要はなく、複数の原稿をＡＤＦにセットしてスタートキーを押せば、カラー原稿についてはカラー複写が、モノクロ原稿についてはモノクロ複写が行われる。
【０００４】
例えば、特許文献１に記載されている画像処理装置では、原稿の明度ヒストグラムと原稿中の無彩色ドットのヒストグラムを求め、これらヒストグラムの差分より原稿の有彩色ヒストグラムを算出する。次に、有彩色の画素数と無彩色の画素数との比率より、カラー原稿か白黒原稿かの判定を行い、この結果を基にヒストグラムの解析を行って、白黒写真原稿、白黒標準原稿、フルカラー写真原稿、下地が白色のカラー標準原稿、下地色付きのカラー標準原稿の５種類の原稿に分類する。そして、原稿種別に応じて適切な下地調整、黒文字判別処理、階調再現処理などを行う。
【特許文献１】特開平８−２５１４０２号公報
【発明の開示】
【発明が解決しようとする課題】
【０００５】
しかしながら、カラーの色材で印刷された網点写真原稿の場合、見た目にはモノクロ原稿であるにも関わらず、前述したような手法により原稿種別の判定を行ったときカラー原稿であると判定されることが多い。
【０００６】
また、印画紙写真原稿の場合、元の原稿がたとえ白黒写真であってもモノクロ複写を行うと、トーンギャップが目立ち、粒状感を感じやすいなど画質劣化が生じ易いという問題点を有している。
【０００７】
更に、カラー画素が少ない写真（例えば、夜景を撮像した写真）の場合、前述の白黒写真と同様の画像劣化が生じ易いという問題点を有している。
【０００８】
更に、従来では、画素の領域属性（文字領域、網点領域を含む複数の領域の何れに属するか）に関わらず、画素の有彩・無彩の判別を行い、その結果を用いてカラー原稿、モノクロ原稿の判別を行っているので、識別精度が悪く、画像の品質が低下することがある。例えば、彩度が低い色文字を含む原稿をモノクロ画像と判定したり、混色グレーのみで構成された原稿をカラー画像として判定してしまうことがある。
【０００９】
本発明は斯かる事情に鑑みてなされたものであり、有彩色を含む原稿であるか否かの判断基準を原稿種別に基づいて設定し、設定した判断基準に基づいて有彩色を含む原稿であるか否かを判断し、判断結果に応じた画像処理を行う構成とすることにより、原稿のカラー／モノクロの判定精度を高めることができ、判定結果に応じて適切な画像処理を行うことにより画質を向上させることができる画像処理方法、画像処理装置、画像形成装置、コンピュータプログラム、及び記録媒体を提供することを目的とする。
【課題を解決するための手段】
【００１０】
本発明に係る画像処理方法は、原稿を読取ることにより得られる画像データに対して原稿種別に応じた画像処理を施す画像処理方法において、前記原稿が有彩色を含む原稿であるか否かについての判断基準を原稿種別に基づいて設定し、設定した判断基準に基づいて有彩色を含む原稿であるか否かを判断し、判断結果に応じた画像処理を前記画像データに対して施すことを特徴とする。
【００１１】
本発明にあっては、有彩色を含む原稿であるか否かの判断基準を原稿種別に基づいて設定し、設定した判断基準に基づいて有彩色を含む原稿であるか否かを判断し、判断結果に応じた画像処理を行うため、原稿が有彩色であるか否かの判定基準を原稿種別に応じて変更することができ、全体として判定精度が高まる。また、有彩色であるか否かに応じて適切な画像処理を行うことにより複写時の画質向上が見込める。
【００１２】
本発明に係る画像処理方法は、原稿種別が印画紙写真原稿であるか否かを判断し、原稿種別が印画紙写真原稿であると判断した場合、前記原稿が有彩色を含む原稿であると判断され易くなるような判断基準を設定することを特徴とする。
【００１３】
本発明にあっては、原稿種別が印画紙写真原稿である場合、原稿が有彩色を含む原稿であると判断され易くなるような判断基準を設定する。印画紙写真をモノクロ複写として出力した場合、一般にトーンギャップが発生する、ドットが目立ち粒状感が気になるなどの画質劣化が顕著になるケースが多い。そのため、白黒写真であっても、なるべくカラー複写として出力させ、画質の向上を図る。
【００１４】
本発明に係る画像処理方法は、原稿種別が印刷写真原稿であるか否かを判断し、原稿種別が印刷写真原稿である場合、前記原稿が無彩色の原稿であると判断され易くなるような判断基準を設定することを特徴とする。
【００１５】
本発明にあっては、原稿種別が印刷写真原稿である場合、原稿が無彩色の原稿であると判断され易くなるような判断基準を設定する。夜景を撮像したようなカラー画素が少ない写真では、トーンギャップが発生する、ドットが目立ち粒状感が気になるなどの画質劣化が顕著になるケースが多い。そのため、カラー写真であっても、カラー画素が少ない場合にはモノクロ複写として出力させ、画質の向上を図る。
【００１６】
本発明に係る画像処理方法は、原稿を読取ることにより得られる画像データに対して原稿種別に応じた画像処理を施す画像処理方法において、前記画像データに含まれる画素のうち注目画素が少なくとも文字領域又は網点領域に属するか否かを判定し、判定した結果に基づいて前記原稿が有彩色を含む原稿であるか否かについての判断基準を設定し、設定した判断基準に基づいて有彩色を含む原稿であるか否かを判断し、判断結果に応じた画像処理を前記画像データに対して施すことを特徴とする。
【００１７】
本発明にあっては、注目画素が少なくとも文字領域又は網点領域に属するか否かの判定結果に基づいて有彩色を含む原稿であるか否かを判断し、判断結果に応じた画像処理を行うため、画素の領域判定結果によってカラー／モノクロ判定結果を修正することができ、全体として判定精度が高まる。また、有彩色であるか否かに応じて適切な画像処理を行うことにより複写時の画質向上が見込める。また、本発明はスキャナに適用することも可能である。この場合、画素の領域判定結果によってカラー／モノクロ判定結果を修正することができるので、例えば、白黒画像をカラー画像としてスキャンした場合に画像データの容量が大きくなるのを防ぐことができる。
【００１８】
本発明に係る画像処理方法は、前記注目画素が文字領域に属すると判定した場合、前記原稿が有彩色を含む原稿であると判断され易くなるような判断基準を設定することを特徴とする。
【００１９】
本発明にあっては、注目画素が文字領域に属する場合、原稿が有彩色を含む原稿であると判断され易くなるような判断基準を設定する。文字の場合、茶色など無彩色の色との差が小さい色の場合が多く、下地などの領域と比較して有彩色と判定しやすく設定することにより、上記色文字を含む原稿をカラー原稿と判定する精度が高まる。
【００２０】
本発明に係る画像処理方法は、前記注目画素が網点領域に属すると判定した場合、前記原稿が無彩色の原稿であると判断され易くなるような判断基準を設定することを特徴とする。
【００２１】
本発明にあっては、注目画素が網点領域に属する場合、原稿が無彩色の原稿であると判断され易くなるような判断基準を設定する。コンポジットグレーの場合（グレーがＣＭＹの混色網点で表現されている場合）、注目画素が有彩色（カラー）であると誤判定されることが防止される。混色グレーのみで形成された原稿がモノクロ原稿と判定される。
【００２２】
本発明に係る画像処理装置は、原稿を読取ることにより得られる画像データに対して原稿種別に応じた画像処理を施す画像処理装置において、前記原稿が有彩色を含む原稿であるか否かについての判断基準を原稿種別に基づいて設定する手段と、設定した判断基準に基づいて有彩色を含む原稿であるか否かを判断する手段と、判断結果に応じた画像処理を前記画像データに対して施す手段とを備えることを特徴とする。
【００２３】
本発明にあっては、有彩色を含む原稿であるか否かの判断基準を原稿種別に基づいて設定し、設定した判断基準に基づいて有彩色を含む原稿であるか否かを判断し、判断結果に応じた画像処理を行うため、原稿が有彩色であるか否かの判定基準を原稿種別に応じて変更することができ、全体として判定精度が高まる。また、有彩色であるか否かに応じて適切な画像処理を行うことにより複写時の画質向上が見込める。
【００２４】
本発明に係る画像処理装置は、原稿種別が印画紙写真原稿であるか否かを判断する手段を備え、原稿種別が印画紙写真原稿であると判断した場合、前記原稿が有彩色を含む原稿であると判断され易くなるような判断基準を設定するようにしてあることを特徴とする。
【００２５】
本発明にあっては、原稿種別が印画紙写真原稿である場合、原稿が有彩色を含む原稿であると判断され易くなるような判断基準を設定する。印画紙写真をモノクロ複写として出力した場合、一般にトーンギャップが発生する、ドットが目立ち粒状感が気になるなどの画質劣化が顕著になるケースが多い。そのため、白黒写真であっても、なるべくカラー複写として出力させ、画質の向上を図る。
【００２６】
本発明に係る画像処理装置は、原稿種別が印刷写真原稿であるか否かを判断する手段を備え、原稿種別が印刷写真原稿であると判断した場合、前記原稿が無彩色の原稿であると判断され易くなるような判断基準を設定するようにしてあることを特徴とする。
【００２７】
本発明にあっては、原稿種別が印刷写真原稿である場合、原稿が無彩色の原稿であると判断され易くなるような判断基準を設定する。夜景を撮像したようなカラー画素が少ない写真では、トーンギャップが発生する、ドットが目立ち粒状感が気になるなどの画質劣化が顕著になるケースが多い。そのため、カラー写真であっても、カラー画素が少ない場合にはモノクロ複写として出力させ、画質の向上を図る。
【００２８】
本発明に係る画像処理装置は、原稿を読取ることにより得られる画像データに対して原稿種別に応じた画像処理を施す画像処理装置において、前記画像データに含まれる画素のうち注目画素が少なくとも文字領域又は網点領域に属するか否かを判定する手段と、該手段による判定結果に基づいて前記原稿が有彩色を含む原稿であるか否かについての判断基準を設定する手段と、設定した判断基準に基づいて有彩色を含む原稿であるか否かを判断する手段と、該手段による判断結果に応じた画像処理を前記画像データに対して施す手段とを備えることを特徴とする。
【００２９】
本発明にあっては、注目画素が少なくとも文字領域又は網点領域に属するか否かの判定結果に基づいて有彩色を含む原稿であるか否かを判断し、判断結果に応じた画像処理を行うため、画素の領域判定結果によってカラー／モノクロ判定結果を修正することができ、全体として判定精度が高まる。また、有彩色であるか否かに応じて適切な画像処理を行うことにより複写時の画質向上が見込める。注目画素が文字領域又は網点領域に属するか否かの判定結果に基づいて有彩色を含む原稿であるか否かを判断し、判断結果に応じた画像処理を行うため、画素の領域判定結果によってカラー／モノクロ判定結果を修正することができ、全体として判定精度が高まる。また、有彩色であるか否かに応じて適切な画像処理を行うことにより複写時の画質向上が見込める。また、本発明はスキャナに適用することも可能である。この場合、画素の領域判定結果によってカラー／モノクロ判定結果を修正することができるので、例えば、白黒画像をカラー画像としてスキャンした場合に画像データの容量が大きくなるのを防ぐことができる。
【００３０】
本発明に係る画像処理装置は、前記注目画素が文字領域に属すると判定した場合、前記原稿が有彩色を含む原稿であると判断され易くなるような判断基準を設定するようにしてあることを特徴とする。
【００３１】
本発明にあっては、注目画素が文字領域に属する場合、原稿が有彩色を含む原稿であると判断され易くなるような判断基準を設定する。文字の場合、茶色など無彩色の色との差が小さい色の場合が多く、下地などの領域と比較して有彩色と判定しやすく設定することにより、上記色文字を含む原稿をカラー原稿と判定する精度が高まる。
【００３２】
本発明に係る画像処理装置は、前記注目画素が網点領域に属すると判定した場合、前記原稿が無彩色の原稿であると判断され易くなるような判断基準を設定するようにしてあることを特徴とする。
【００３３】
本発明にあっては、注目画素が網点領域に属する場合、原稿が無彩色の原稿であると判断され易くなるような判断基準を設定する。コンポジットグレーの場合（グレーがＣＭＹの混色網点で表現されている場合）、注目画素が有彩色（カラー）であると誤判定されることが防止される。混色グレーのみで形成された原稿がモノクロ原稿と判定される。
【００３４】
本発明に係る画像形成装置は、前述した発明の何れか１つに記載の画像処理装置と、該画像処理装置によって画像処理が施された画像データに基づいてシート上に画像形成を行う手段とを備えることを特徴とする。
【００３５】
本発明にあっては、原稿が有彩色であるか否かを精度よく判定し、その判定結果に応じた画像処理を行ってシート上に画像形成を行うため、複写時の画質向上が見込める。
【００３６】
本発明に係るコンピュータプログラムは、コンピュータに、原稿を読取ることにより得られた画像データに対して原稿種別に応じた画像処理を施させるコンピュータプログラムにおいて、コンピュータに、前記原稿が有彩色を含む原稿であるか否かについての判断基準を原稿種別に基づいて設定させるステップと、コンピュータに、設定させた判断基準に基づいて有彩色を含む原稿であるか否かを判断させるステップと、コンピュータに、判断結果に応じた画像処理を前記画像データに対して施させるステップとを有することを特徴とする。
【００３７】
本発明にあっては、有彩色を含む原稿であるか否かの判断基準を原稿種別に基づいて設定させ、設定させた判断基準に基づいて有彩色を含む原稿であるか否かを判断させ、判断結果に応じた画像処理を行わせるため、原稿が有彩色であるか否かの判定基準を原稿種別に応じて変更することができ、全体として判定精度が高まる。また、有彩色であるか否かに応じて適切な画像処理を行うことにより複写時の画質向上が見込める。
【００３８】
本発明に係るコンピュータプログラムは、コンピュータに、原稿を読取ることにより得られた画像データに対して原稿種別に応じた画像処理を施させるコンピュータプログラムにおいて、コンピュータに、前記画像データに含まれる画素のうち注目画素が少なくとも文字領域又は網点領域に属するか否かを判定させるステップと、コンピュータに、判定させた結果に基づいて前記原稿が有彩色を含む原稿であるか否かについての判断基準を設定させるステップと、コンピュータに、設定させた判断基準に基づいて有彩色を含む原稿であるか否かを判断させるステップと、コンピュータに、判断結果に応じた画像処理を前記画像データに対して施させるステップとを有することを特徴とする。
【００３９】
本発明にあっては、注目画素が少なくとも文字領域又は網点領域に属するか否かの判定結果に基づいて有彩色を含む原稿であるか否かを判断し、判断結果に応じた画像処理を行うため、画素の領域判定結果によってカラー／モノクロ判定結果を修正することができ、全体として判定精度が高まる。また、有彩色であるか否かに応じて適切な画像処理を行うことにより複写時の画質向上が見込める。
【００４０】
本発明に係る記録媒体は、コンピュータに、原稿を読取ることにより得られた画像データに対して原稿種別に応じた画像処理を施させるコンピュータプログラムが記録されているコンピュータでの読取りが可能な記録媒体において、コンピュータに、前記原稿が有彩色を含む原稿であるか否かについての判断基準を原稿種別に基づいて設定させるステップと、コンピュータに、設定させた判断基準に基づいて有彩色を含む原稿であるか否かを判断させるステップと、コンピュータに、判断結果に応じた画像処理を前記画像データに対して施させるステップとを有するコンピュータプログラムが記録されていることを特徴とする。
【００４１】
本発明にあっては、記録媒体から読み出されたプログラムによって上記の画像処理装置がコンピュータ上で実現される。
【００４２】
本発明に係る記録媒体は、コンピュータに、原稿を読取ることにより得られた画像データに対して原稿種別に応じた画像処理を施させるコンピュータプログラムが記録されているコンピュータでの読取りが可能な記録媒体において、コンピュータに、前記画像データに含まれる画素のうち注目画素が少なくとも文字領域又は網点領域に属するか否かを判定させるステップと、コンピュータに、判定させた結果に基づいて前記原稿が有彩色を含む原稿であるか否かについての判断基準を設定させるステップと、コンピュータに、設定させた判断基準に基づいて有彩色を含む原稿であるか否かを判断させるステップと、コンピュータに、判断結果に応じた画像処理を前記画像データに対して施させるステップとを有するコンピュータプログラムが記録されていることを特徴とする。
【００４３】
本発明にあっては、記録媒体から読み出されたプログラムによって上記の画像処理装置がコンピュータ上で実現される。
【発明の効果】
【００４４】
本発明による場合は、有彩色を含む原稿であるか否かの判断基準を原稿種別に基づいて設定し、設定した判断基準に基づいて有彩色を含む原稿であるか否かを判断し、判断結果に応じた画像処理を行う。したがって、原稿が有彩色であるか否かの判定基準を原稿種別に応じて変更することができ、有彩色であるか否かの判定精度を高めることができる。また、有彩色であるか否かに応じて適切な画像処理を行うことにより複写時の画質向上を図ることができる。
【００４５】
本発明による場合は、原稿種別が印画紙写真原稿である場合、原稿が有彩色を含む原稿であると判断され易くなるような判断基準を設定する。印画紙写真をモノクロ複写として出力した場合、一般にトーンギャップが発生する、ドットが目立ち粒状感が気になるなどの画質劣化が顕著になるケースが多いが、白黒写真であってもなるべくカラー複写として出力させることにより、画質向上を図ることができる。
【００４６】
本発明による場合は、原稿種別が印刷写真原稿である場合、原稿が無彩色の原稿であると判断され易くなるような判断基準を設定する。夜景を撮像したようなカラー画素が少ない写真では、トーンギャップが発生する、ドットが目立ち粒状感が気になるなどの画質劣化が顕著になるケースが多いが、カラー写真であってもカラー画素が少ない場合にはモノクロ複写として出力させることにより、画質向上を図ることができる。
【００４７】
本発明による場合は、注目画素が文字領域又は網点領域に属するか否かの判定結果に基づいて有彩色を含む原稿であるか否かを判断し、判断結果に応じた画像処理を行う。したがって、画素の領域判定結果によってカラー／モノクロ判定結果を修正することができ、全体として判定精度を高めることができる。また、有彩色であるか否かに応じて適切な画像処理を行うことにより複写時の画質を向上させることができる。
【００４８】
本発明による場合は、注目画素が文字領域に属する場合、原稿が有彩色を含む原稿であると判断され易くなるような判断基準を設定する。文字の場合、茶色など無彩色の色との差が小さい色の場合が多く、下地などの領域と比較して有彩色と判定しやすく設定することにより、上記色文字を含む原稿をカラー原稿と判定する精度を高めることができる。
【００４９】
本発明による場合は、注目画素が網点領域に属する場合、原稿が無彩色の原稿であると判断され易くなるような判断基準を設定する。コンポジットグレーの場合（グレーがＣＭＹの混色網点で表現されている場合）、注目画素が有彩色（カラー）であると誤判定されることを防止することができる。混色グレーのみで形成された原稿をモノクロ原稿と判定することができる。
【００５０】
本発明による場合は、原稿が有彩色であるか否かを精度よく判定し、その判定結果に応じた画像処理を行ってシート上に画像形成を行うため、複写時の画質向上を図ることができる。
【００５１】
本発明による場合は、コンピュータによる演算処理によって前述した画像処理方法を実現することができる。
【００５２】
本発明による場合は、記録媒体から読み出されたプログラムによって上記の画像処理装置をコンピュータ上で実現することができる。
【発明を実施するための最良の形態】
【００５３】
以下、本発明をその実施の形態を示す図面に基づいて具体的に説明する。
実施の形態１．
図１は本発明に係る画像処理装置の内部構成を説明するブロック図である。本発明に係る画像処理装置は、制御部１、画像入力部３、画像処理部５、及び画像出力部７、操作部９を備えている。制御部１は、前記ハードウェア各部を制御するための制御プログラムが格納されたＲＯＭ、制御プログラムを実行するＣＰＵ、制御プログラムの実行中に生成される各種データを記憶するＲＡＭなどを備える。
【００５４】
画像入力部３は、原稿の画像を光学的に読取る手段であり、読取用の原稿に光を照射する光源、ＣＣＤ（Charge Coupled Device）のようなイメージセンサ等を備えている。画像入力部３では、所定の読取位置にセットされた原稿からの反射光像を当該イメージセンサに結像させ、ＲＧＢ（R : Red, G : Green, B : Blue）のアナログ電気信号を出力する。画像入力部３が出力したアナログ電気信号は画像処理部５へ入力される。
【００５５】
画像処理部５は、画像入力部３から出力されるアナログ電気信号をデジタル電気信号に変換した後、原稿種別に応じた画像処理を行って出力用の画像信号を生成する。生成した画像信号は画像出力部７に出力される。本実施の形態では、出力用の画像信号としてＣＭＹＫ信号（C:Cyan, M:Magenta, Y:Yellow, K:Black）を生成するようにしている。なお、画像処理部５の内部構成、動作等については後に詳述することとする。
【００５６】
画像出力部７は、画像処理部５が出力する画像信号に基づいて用紙、ＯＨＰフィルム等のシート上に画像形成を行う手段である。そのため、画像出力部７は、感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器等（不図示）を備えており、電子写真方式にて利用者が所望する画像を用紙上に形成する。なお、レーザ書込装置を用いた電子写真方式により画像形成を行う他、インクジェット方式、熱転写方式、昇華方式等により画像形成を行う構成であってもよい。
【００５７】
操作部９は、利用者による指示、選択操作などを受付けるために各種スイッチ、ボタンを備えている。
【００５８】
なお、画像入力部３を画像の読取手段として構成し、画像出力部７を画像形成手段として構成したが、外部から画像データを受信する手段、外部に画像データを送信する手段として構成するようにしてもよく、それらを適宜に組み合わせた構成であってもよい。例えば、画像入力部３が画像の読取手段、画像出力部７が画像データの送信手段である場合には、本発明はスキャナ装置（画像読取装置）として動作することとなり、画像入力部３が画像データの受信手段、画像出力部７が画像形成手段である場合には、本発明はプリンタ装置（画像形成装置）として動作することとなる。また、画像の読取手段、画像形成手段、画像データの送受信手段を備えるデジタル複合機にも適用できることは勿論のことである。
【００５９】
図２は画像処理部５の構成を説明するブロック図である。画像処理部５は、ＡＤ変換部５１、シェーディング補正部５２、原稿種別判定部５３、ＡＣＳ判別部５４、入力階調補正部５５、領域分離処理部５６、色補正部５７、黒生成下色除去部５８、空間フィルタ処理部５９、出力階調補正部６０、階調再現処理部６１を備えている。
【００６０】
ＡＤ変換部５１は、画像入力部３から入力されたＲＧＢのアナログ信号をデジタル信号に変換する。シェーディング補正部５２は、ＡＤ変換部５１から出力されたデジタル形式のＲＧＢ信号に対して、画像入力部３の照明系、結像系、撮像系で生じる各種の歪みを取り除く処理を施す。また、シェーディング補正部５２ではカラーバランスの調整を行う。
【００６１】
原稿種別判定部５３は、シェーディング補正部５２にて各種の歪みが取り除かれカラーバランスの調整がなされたＲＧＢ（ＲＧＢの反射率信号）を濃度信号などカラー画像処理装置に採用されている画像処理システムの扱いやすい信号に変換すると共に、原稿種別の判定を行う。原稿種別判定部５３が判定結果として出力する原稿種別判定信号は、後段のＡＣＳ判別部５４、入力階調補正部５５、色補正部５７、黒生成下色除去部５８、空間フィルタ処理部５９、及び階調再現処理部６１に入力される。なお、判定手法については後に詳述する。
【００６２】
ＡＣＳ判別部５４は、画像入力部３にて読取られた原稿がカラー原稿であるかモノクロ原稿であるかの判別を行う。ＡＣＳ判別部５４が判定結果として出力するＡＣＳ判別信号は、後段の入力階調補正部５５、色補正部５７、及び黒生成下色除去部５８に入力される。なお、判別手法については後に詳述する。
【００６３】
入力階調補正部５５は、下地濃度の除去やコントラストなどの画質調整処理を行う。領域分離処理部５６は、ＲＧＢ信号より、入力画像中の各画素を文字領域、網点領域、写真領域の何れかに分離する処理を行う。領域分離処理部５６は、分離結果に基づき、画素がどの領域に属しているかを示す領域識別信号を後段の色補正部５７、黒生成下色除去部５８、空間フィルタ処理部５９、及び階調再現処理部６１へ出力すると共に、入力階調補正部５５から出力された入力信号をそのまま後段の色補正部５７へ出力する。
【００６４】
色補正部５７は、色再現の忠実化再現のために、不要吸収成分を含むＣＭＹ色材の分光特性に基づいた色濁りを取り除く処理を行うものである。黒生成下色除去部５８は、色補正後のＣＭＹの３色信号から黒（Ｋ）信号を生成する黒生成、元のＣＭＹ信号から黒生成で得たＫ信号を差し引いた新たなＣＭＹ信号を生成する処理を行う。この処理によってＣＭＹの３色信号はＣＭＹＫの４色信号に変換される。
【００６５】
黒生成処理の一例として、スケルトンブラックによる黒生成を行う方法（一般方法）がある。この方法では、スケルトンカーブの入出力特性をｙ＝ｆ（ｘ）、入力されるデータをＣ，Ｍ，Ｙ、出力されるデータをＣ’，Ｍ’，Ｙ’，Ｋ’、ＵＣＲ率（UCR : Under Color Removal）をα（０＜α＜１）とすると、黒生成下色除去処理は以下の式で表される。
【００６６】
Ｋ’＝ｆ｛ｍｉｎ（Ｃ，Ｍ，Ｙ）｝
Ｃ’＝Ｃ−αＫ’
Ｍ’＝Ｍ−αＫ’
Ｙ’＝Ｙ−αＫ’
【００６７】
空間フィルタ処理部５９は、黒生成下色除去部５８より入力されるＣＭＹＫ信号の画像データに対して、領域識別信号を基にデジタルフィルタによる空間フィルタ処理を行い、空間周波数特性を補正することによって出力画像のぼやけや粒子状劣化を防ぐように処理を行う。
【００６８】
例えば、領域分離処理部５６にて文字に分離された領域は、特に黒文字又は色文字の再現性を高めるために、空間フィルタ処理部５９による空間フィルタ処理における鮮鋭強調処理で高周波数の強調量が大きくされる。同時に、階調再現処理部６１においては、高周波数の再現に適した高解像度のスクリーンでの二値化又は多値化処理が選択される。また、領域分離処理部５６にて網点領域に分離された領域に関しては、空間フィルタ処理部５９において、入力網点成分を除去するためのローパスフィルタ処理が施される。そして、出力階調補正部６０において、濃度信号などの信号をカラー画像出力装置の特性値である網点面積率に変換する出力階調補正処理を行った後、階調再現処理部６１で最終的に画像を画素に分離してそれぞれの階調を再現できるように処理する階調再現処理を施す。また、領域分離処理部５６にて写真に分離された領域に関しては、階調再現性を重視したスクリーンでの二値化又は多値化処理が行われる。
【００６９】
次に、原稿種別判定部５３での処理内容について説明する。図３は原稿種別判定部５３の構成を説明するブロック図である。原稿種別判定部５３は、信号変換部５３００、最小濃度値算出部５３０１、最大濃度値算出部５３０２、最大濃度差算出部５３０３、総和濃度繁雑度算出部５３０４、判定領域設定部５３０５、最大濃度差閾値設定部５３０６、総和濃度繁雑度閾値設定部５３０７、文字・網点判定部５３１０、文字・網点判定閾値設定部５３１１、文字画素計数部５３１２、網点画素計数部５３１３、下地・印画紙判定部５３２０、下地・印画紙判定閾値設定部５３２１、下地画素計数部５３２２、印画紙画素計数部５３２３、原稿判定部５３３０を備えている。
【００７０】
信号変換部５３００では、シェーディング補正部５２から出力されるＲＧＢ信号をＣＭＹの濃度信号に変換し、最小濃度値算出部５３０１、最大濃度値算出部５３０２、及び総和濃度繁雑度算出部５３０４へ出力する。最小濃度値算出部５３０１は入力されるＣＭＹ信号を基に濃度最小値を算出し、最大濃度値算出部５３０２は入力されるＣＭＹ信号を基に濃度最大値を算出する。最大濃度差算出部５３０３は、最小濃度値算出部５３０１及び最大濃度値算出部５３０２で算出された最小濃度値及び最大濃度値を用いて最大濃度差を算出する。
【００７１】
総和濃度繁雑度算出部５３０４は、隣接する画素の濃度差の絶対値の総和を算出する。判定領域設定部５３０５は、最大濃度差算出部５３０３で算出される最大濃度差、最大濃度差閾値設定部５３０６にて設定される最大濃度差についての閾値、総和濃度繁雑度算出部５３０４で算出される総和濃度繁雑度、及び総和濃度繁雑度閾値設定部５３０７にて設定される総和濃度繁雑度についての閾値に基づき、下地・印画紙（写真）領域、文字・網点領域に分離する。
【００７２】
文字・網点判定部５３１０は、判定領域設定部５３０５において文字・網点領域に分離された領域内の画素が文字であるか、又は網点であるかの判定を行う。判定には、文字・網点判定閾値設定部５３１１にて設定される閾値が用いられる。文字画素計数部５３１２は文字と判定された画素を計数し、網点画素計数部５３１３は網点と判定された画素を計数する。
【００７３】
下地・印画紙判定部５３２０は、判定領域設定部５３０５において下地・印画紙領域に分離された領域内の画素が下地であるか、又は印画紙であるかの判定を行う。判定には、下地・印画紙判定閾値設定部５３２１にて設定される閾値が用いられる。下地画素計数部５３２２は下地と判定された画素を計数し、印画紙画素計数部５３２３は印画紙と判定された画素を計数する。
【００７４】
原稿判定部５３３０は、各領域の画素の計数結果に基づいて原稿種別の判別を行い、原稿種別判定信号を後段のＡＣＳ判別部５４、入力階調補正部５５、色補正部５７、黒生成下色除去部５８、空間フィルタ処理部５９、及び階調再現処理部６１へ出力する。
【００７５】
図４は原稿種別判定部５３が実行する処理の手順を説明するフローチャートである。以下では、ｎ×ｍのブロックについて判定を行う場合について説明する。まず、注目画素を含むｎ×ｍブロックにおける最小濃度値及び最大濃度値を算出し（ステップＳ１１，Ｓ１２）、算出した最小濃度値及び最大濃度値を用いて最大濃度差を算出する（ステップＳ１３）。次いで、隣接する画素の濃度差の絶対値の総和（すなわち、総和濃度繁雑度）を算出する（ステップＳ１４）。
【００７６】
次いで、算出された最大濃度差と最大濃度差閾値との比較、及び算出された総和濃度繁雑度と総和濃度繁雑度閾値との比較を行い、最大濃度差及び総和濃度繁雑度が共に比較対象の閾値より小さいか否かを判断する（ステップＳ１５）。最大濃度差が最大濃度差閾値よりも小さく、かつ総和濃度繁雑度が総和濃度繁雑度閾値よりも小さいと判断した場合（Ｓ１５：ＹＥＳ）、注目画素は下地・印画紙領域であると判断する（ステップＳ１６）。
【００７７】
このとき、最大濃度差と下地・印画紙判定閾値設定部５３２１により設定される閾値（下地・印画紙判定閾値）との比較を行い、最大濃度差が下地・印画紙判定閾値より小さいか否かを判断する（ステップＳ１７）。最大濃度差が下地・印画紙判定閾値より小さい場合と判断した場合（Ｓ１７：ＹＥＳ）、注目画素を下地領域として計数し（ステップＳ１８）、最大濃度差が下地・印画紙判定閾値以上であると判断した場合（Ｓ１７：ＮＯ）、注目画素を印画紙領域として計数する（ステップＳ１９）。
【００７８】
一方、ステップＳ１５において、最大濃度差又は総和濃度繁雑度の何れか一方が比較対象の閾値以上であると判断した場合（Ｓ１５：ＮＯ）、注目画素は文字・網点領域であると判断する（ステップＳ２０）。
【００７９】
このとき、総和濃度繁雑度を、最大濃度差と文字・網点判定閾値設定部５３１１により設定される閾値（文字・網点判定閾値）との積と比較し、総和濃度繁雑度が積の値より小さいか否かを判断する（ステップＳ２１）。総和濃度繁雑度が積の値より小さいと判断した場合（Ｓ２１：ＹＥＳ）、注目画素を文字領域として計数し（ステップＳ２２）、総和濃度繁雑度が積の値以上であると判断した場合（Ｓ２１：ＮＯ）、注目画素を網点領域として計数する（ステップＳ２３）。
【００８０】
次いで、全ての画素の処理が終了したか否かを判断し（ステップＳ２４）、終了していないと判断した場合（Ｓ２４：ＮＯ）、処理をステップＳ１１へ戻す。また、全ての画素の処理が終了したと判断した場合（Ｓ２４：ＹＥＳ）、ステップＳ１８及びＳ１９、並びにステップＳ２２及びＳ２３での計数結果に基づいて原稿判別の判定を行う（ステップＳ２５）。下地領域、印画紙領域、網点領域、及び印画紙領域の各領域について閾値を設定しておき、各領域の計数結果と比較することにより、原稿種別の判定が可能となる。
【００８１】
例えば、文字領域の比率と網点領域の比率とが、それぞれ閾値以上の場合は、文字・網点原稿（文字印刷写真原稿）であると判定する。また、文字、網点、印画紙写真の順に検出精度が高いとすると、文字領域の比率が全画素数の３０％の場合には文字原稿、網点領域の比率が全画素数の２０％の場合には網点原稿（印刷写真原稿）、印画紙写真領域の比率が全画素数の１０％の場合には印画紙写真原稿であると判定する。ここでは、原稿種別として、文字原稿、文字印刷写真原稿、印刷写真原稿、印画紙写真原稿、文字印画紙写真原稿に判別する。尚、原稿種別の判別は、プレスキャンを行うのではなく、ハードディスク等の記憶手段に一旦格納された画像データを用いて行っても良い。
【００８２】
次に、下地、印画紙、網点、文字の各領域における画素濃度分布の例について説明する。図５は各領域における画素濃度分布の一例を示す模式図であり、図６は各領域の最大濃度差及び総和濃度繁雑度による分布を示す模式図である。図５（ａ）は下地の濃度分布を示している。なお、図５（ａ）〜図５（ｄ）の各図において横軸は画素、縦軸は濃度を示している。下地領域の濃度分布は、通常、濃度変化が少ないため、最大濃度差及び総和濃度繁雑度ともに非常に小さくなり、図６に示したような分布をとる。したがって、下地・印画紙領域に判別された画素に対して下地・印画紙判定閾値（Ｔｈ１）よりも最大濃度差が小さい場合には、下地画素であると判別することが可能である。
【００８３】
印画紙写真領域の濃度分布は、図５（ｂ）に示すように、通常、滑らかな濃度変化をしており、最大濃度差及び総和濃度繁雑度はともに小さく、しかも下地領域よりは多少大きくなるため、図６に示したような分布をとる。したがって、下地・印画紙領域と判別された画素に対して下地・印画紙判定閾値（Ｔｈ１）よりも最大濃度差が大きい場合には、印画紙領域であると判別することが可能である。
【００８４】
網点領域の濃度分布は、図５（ｃ）に示すように、最大濃度差は網点により様々であるが、総和濃度繁雑度が網点の数だけ濃度変化が存在するので、最大濃度差に対する総和濃度繁雑度の割合が大きくなる。このため、図６に示したような分布をとる。したがって、最大濃度差と文字・網点判定閾値との積（Ｌ２）よりも総和濃度繁雑度が大きい場合には、網点画素であると判別することが可能である。
【００８５】
文字領域の濃度分布は、図５（ｄ）に示すように、最大濃度差が大きく、それに伴い総和濃度繁雑度も大きくなるが、網点領域よりも濃度変化が少ないため、網点領域よりも総和濃度繁雑度は小さくなる。特に、最大濃度差に対する総和濃度繁雑度の割合が小さくなるため、図６に示したような分布をとる。したがって、文字・網点領域に判別された画素において、最大濃度差と文字・網点判定閾値との積（Ｌ２）よりも総和濃度繁雑度が小さい場合には、文字画素であると判別することが可能である。
【００８６】
次に、ＡＣＳ判別部５４での処理内容について説明する。図７はＡＣＳ判別部５４の構成を説明するブロック図である。ＡＣＳ判別部５４は、有彩・無彩画素判定部５４１、有彩画素ヒストグラム作成部５４２、ヒストグラム解析部５４３、及びデータ変換部５４４を備えている。
【００８７】
有彩・無彩画素判定部５４１は、原稿種別判定部５３より入力されたＲＧＢ信号を基に各画素が有彩画素であるか、又は無彩画素であるかを判定する。図８は有彩・無彩画素判定部５４１の構成を説明するブロック図である。有彩・無彩画素判定部５４１では、まず、注目画素平均値算出部５４１１〜５４１３において、注目画素を中心とするｎ×ｍ画素のブロック（例えば、３×３画素のブロック）の平均値が各入力信号毎に算出される。次に、最大濃度差分値算出部５４１４にて各信号の平均値の最大値及び最小値が算出し、算出した最大値と最小値との差分が算出される。算出された差分値が注目画素における最大濃度差分値となる。
【００８８】
次に、注目画素判定部５４１５において、最大濃度差分値と有彩画素判定閾値設定部５４１６にて設定される有彩画素判定閾値と間の大小関係が比較される。最大濃度差差分値が有彩画素判定閾値より大きい場合、注目画素が有彩画素と判定され、最大濃度差分値が有彩画素判定閾値より小さい場合、注目画素が無彩画素と判定される。
【００８９】
説明を図７のブロック図に戻す。有彩・無彩画素判定部５４１にて有彩画素と判定された場合、有彩画素ヒストグラム作成部５４２はヒストグラムの作成を行う。なお、無彩画素と判定されたデータについてはヒストグラムの作成は行われない。ヒストグラム解析部５４３は、有彩画素ヒストグラム作成部５４２にて作成されたヒストグラムの解析を行い、カラー複写すべき原稿であるか否かの判定を行う。解析手法については後に詳述する。データ変換部５４４は、ヒストグラム解析部５４３にてカラー複写すべきでないと判定された場合、有彩画素をモノクロ複写に最適なデータ変換を行う。例えば、有彩画素と判定された画素を無彩画素に置換する処理を行う。
【００９０】
図９はＡＣＳ判別部５４における処理の手順を説明するフローチャートである。ＡＣＳ判別部５４の有彩・無彩画素判定部５４１は、原稿種別判定部５３より入力されるＲＧＢ信号を基に有彩・無彩画素判定を行う（ステップＳ３１）。判定には、注目画素を中心とするｎ×ｍ画素のブロックが使用される。
【００９１】
有彩・無彩画素判定部５４１は注目画素が有彩画素であるか否かを判断し（ステップＳ３２）、有彩画素であると判断した場合には（Ｓ３２：ＹＥＳ）、その旨の判定結果を有彩画素ヒストグラム作成部５４２へ通知する。なお、注目画素が無彩画素であると判断した場合（Ｓ３２：ＮＯ）、ヒストグラムの作成を行わないので、処理をステップＳ３１へ戻し、次の画素を注目画素として有彩・無彩判定を行う。
【００９２】
注目画素が有彩画素である旨の判定結果を受けた場合、有彩・無彩画素ヒストグラム作成部５４２はヒストグラムの作成を行う（ステップＳ３３）。そして、全ての画素の処理が終了したか否かを判断し（ステップＳ３４）、終了していないと判断した場合（Ｓ３４：ＮＯ）、処理をステップＳ３１へ戻す。
【００９３】
全ての画素についての処理が終了したと判断した場合（Ｓ３４：ＹＥＳ）、ヒストグラム解析部５４３は、原稿種別判定部５３より入力される原稿種別判定信号を基に後述するヒストグラム解析処理を行い（ステップＳ３５）、解析結果に基づいてカラー複写用の原稿であるか否かを判断する（ステップＳ３６）。カラー複写用の原稿でないと判断した場合（Ｓ３６：ＮＯ）、有彩画素をモノクロ複写に最適なデータ変換を行う（ステップＳ３７）。一方、カラー複写用の原稿であると判断した場合（Ｓ３６：ＹＥＳ）、データ変換を行うことなく、本フローチャートによる処理を終了する。
【００９４】
なお、ＡＣＳ判別部５４では、ＲＧＢ信号に基づいてカラー原稿であるか、又はモノクロ原稿であるかの判別を行ったが、ＲＧＢ信号を補色反転したＣＭＹ信号やＲＧＢ信号をＣＩＥ１９７６Ｌ* ａ* ｂ* 信号（ＣＩＥ: Commission International de l’Eclairage：国際照明委員会。Ｌ*: 明度、ａ* 、ｂ* : 色度）に変換して処理を行ってもよい。
【００９５】
次に、ヒストグラム解析部５４３での処理内容について説明する。図１０〜図１２は原稿画像の濃度分布を示すヒストグラムである。図１０のヒストグラムは、汚れ、しみ等により部分的に変色した原稿の濃度分布を示している。部分的に変色した原稿は、同色系で原稿の一部に存在するため、全ての信号において高濃度域側で濃度領域幅の狭いピークが１つ形成される。
【００９６】
図１１のヒストグラムは、色つき原稿、全体的に変色した原稿等の濃度分布を示している。図１１に示すように有彩画素の度数は大きくなるものの、部分的に変色した原稿と同様に、有彩画素ヒストグラムは各信号ともに濃度が高く、同色であるため高濃度域側で濃度領域幅の狭いピークが形成される。すなわち、部分的に変色した原稿、及び色つき原稿、全体的に変色した原稿においては、ピークの度数は原稿における有彩総画素数に依存するため、ピークの濃度位置及び濃度幅の度数で判定することができる。
【００９７】
図１２のヒストグラムは一般的なカラー原稿の濃度分布を示している。一般的なカラー原稿では、色数が増えるとともにピーク幅が広くなり、原稿におけるカラー領域が大きくなるとともに度数が大きくなるピークが形成される。
【００９８】
図１３はヒストグラム解析処理の手順を説明するフローチャートである。ヒストグラム解析部５４３は、まず、原稿種別判定部５３より入力される原稿種別判定信号に基づいて、原稿種別が印画紙写真であるか否かを判断する（ステップＳ４１）。原稿種別が印画紙写真であると判断した場合（Ｓ４１：ＹＥＳ）、濃度閾値を低く、無彩判定度数閾値を高く設定する（ステップＳ４２）。この設定により、カラー複写のモードが選択されやすくなるようにする。
【００９９】
読取った原稿が印画紙写真でないと判断した場合（Ｓ４１：ＮＯ）、原稿種別が印刷写真であるか否かの判定を行う（ステップＳ４３）。原稿種別が印刷写真であると判断した場合（Ｓ４３：ＹＥＳ）、濃度閾値を高く、無彩判定度数閾値を低く設定する（ステップＳ４４）。この設定により、モノクロ複写のモードが選択されやすくなるようにする。また、印刷写真でないと判断した場合（Ｓ４３：ＮＯ）、濃度閾値、無彩判定度数閾値の変更は行わないため、本フローチャートによる処理を終了する。
【０１００】
ステップＳ４２又はステップＳ４４にて閾値の設定を行った後、有彩画素ヒストグラム作成部５４２において作成されたヒストグラムに対して最も度数が大きい濃度値の検出を行い、検出された濃度値を最大度数濃度値とする（ステップＳ４５）。次に、最大度数濃度値とモノクロ複写を行いたい濃度の閾値である濃度閾値との比較を行い、最大度数濃度値が濃度閾値よりも大きいか否かを判断する（ステップＳ４６）。
【０１０１】
最大度数濃度閾値が濃度閾値よりも大きいと判断した場合（Ｓ４６：ＹＥＳ）、最大度数濃度値を中心に予め設定している濃度幅の領域（最大濃度領域）の総度数値を算出する（ステップＳ４７）。濃度幅の値としては、例えば、最大度数濃度値を中心として±８程度がよい。
【０１０２】
次いで、ステップＳ４７で算出した最大濃度領域の総度数値と予め設定している無彩判定度数閾値との比較を行い、最大濃度領域の総度数値が無彩判定度数閾値より大きいか否かを判断する（ステップＳ４８）。ここで、無彩判定度数閾値とは、有彩画素と判定された総画素数に対する割合として設定される値であり、例えば、有彩総画素数×９０％といった値が適切である。
【０１０３】
最大濃度領域の総度数値が無彩判定度数閾値よりも大きいと判断した場合（Ｓ４８：ＹＥＳ）、読取った原稿はモノクロ複写すべき原稿と判定する（ステップＳ４９）。一方、ステップＳ４６にて最大度数濃度値が濃度閾値以下であると判断した場合（Ｓ４６：ＮＯ）、ステップＳ４８にて最大濃度領域の総度数値が無彩判定度数閾値以下であると判断した場合（Ｓ４８：ＮＯ）、読取った原稿はカラー複写すべき原稿と判定する（ステップＳ５０）。
【０１０４】
このような処理を行うことにより原稿の有彩・無彩が判定され、その結果に基づいて入力階調補正、色補正、及び黒生成下色除去の各処理がそれぞれ入力階調補正部５５、色補正部５７、黒生成下色除去部５８にて行われる。例えば、入力画像がカラー原稿であると判別された場合は、図２を用いて説明したカラー画像処理が行われる。また、入力画像がモノクロ原稿であると判別された場合は、入力階調補正処理において、ＲＧＢ信号はＫ信号に信号変換され、色補正処理及び黒生成下色除去処理は省略される。なお、空間フィルタ処理、出力階調補正処理、及び階調再現処理においては、カラー複写、モノクロ複写ともに同様の処理がなされる。
【０１０５】
なお、前述した各閾値については、任意に調節することにより、より原稿データに適切な処理を行うことが可能となる。また、各閾値について予想される複数の値を予めＲＯＭなどの記憶手段に格納しておき、必要に応じて操作部９が備えるスイッチ等により適宜の値が選択されるようにしてもよい。
【０１０６】
実施の形態２．
本実施の形態では、画素が文字領域、網点領域を含む複数の領域の何れに属するかという領域属性の判定と、画素が有彩又は無彩であるかという有彩・無彩判定とを併用して原稿種別を判定する構成について説明する。なお、画像処理装置の構成は実施の形態１と同様であるが、原稿種別判定部５３に代えて原稿種別判定部５３Ａ、ＡＣＳ判定部５４に代えてＡＣＳ判定部５４Ａを備える。
【０１０７】
図１４は原稿種別判定部５３Ａの構成を説明するブロック図である。原稿種別判定部５３Ａは、前述した信号変換部５３００、最小濃度値算出部５３０１、最大濃度値算出部５３０２、最大濃度差算出部５３０３、総和濃度繁雑度算出部５３０４、判定領域設定部５３０５、最大濃度差閾値設定部５３０６、総和濃度繁雑度閾値設定部５３０７、文字・網点判定部５３１０、文字・網点判定閾値設定部５３１１、文字画素計数部５３１２、網点画素計数部５３１３、下地・印画紙判定部５３２０、下地・印画紙判定閾値設定部５３２１、下地画素計数部５３２２、印画紙画素計数部５３２３、原稿判定部５３３０の他に、注目画素の有彩無彩の判定を行う有彩・無彩画素判定部５３１を備える。
【０１０８】
図１５は有彩・無彩画素判定部５３１の内部構成を説明するブロック図である。有彩・無彩画素判定部５３１は、入力されたＲＧＢ信号に対して、各画素が有彩画素であるか無彩画素であるかを判定するためのものであり、注目画素平均値算出部５３１１〜５３１３、最大濃度差分値算出部５３１４、注目画素判定部５３１５、有彩画素判定閾値設定部５３１６を備える。
【０１０９】
まず、注目画素（図１５ではハッチングを付した画素）を中心とするｎ×ｍのブロック（例えば、３×３）において、注目画素平均値算出部５３１１〜５３１３にて各入力信号別に平均値の算出を行う。
【０１１０】
次いで、最大濃度差分値算出部５３１４において算出された各信号の最大値及び最小値を算出し、最大値と最小値との差分値を注目画素における最大濃度差分値として算出する。そして、注目画素判定部５３１５において、算出した最大濃度差分値と予め有彩画素判定閾値設定部５３１６に設定している有彩画素判定閾値（例えば、２０）との比較を行い、最大濃度差分値が有彩画素判定閾値よりも大きければ、注目画素が有彩画素であると判定し、最大濃度差分値が有彩画素判定閾値よりも小さければ、注目画素が無彩画素であると判定する。
【０１１１】
このとき、文字・網点判定部５３１０の判定結果に基づいて、有彩画素判定閾値設定部５３１６に設定している有彩画素判定閾値の値を変更する。例えば、注目画素が文字であると判定された場合、有彩画素判定閾値を小さい値に設定する。これは、文字の場合、茶色などの無彩色の色との差（最大濃度差分値）が小さい色の場合が多く、下地などの領域と比較して有彩色であると判定しやすく設定することにより、色文字の判定精度を向上させることができるためである。
【０１１２】
一方、注目画素が網点であると判定された場合、有彩画素判定閾値を大きい値に設定する。これはグレーがＣＭＹの混色網点で表現されている場合（コンポジットグレーの場合）、注目画素が有彩色（カラー）であると誤判定されるのを防ぐためである。
【０１１３】
図１６は原稿種別判定部５３Ａが実行する処理の手順を示すフローチャートである。原稿種別判定部５３Ａは、図４のフローチャートで説明した手順と同様にして、注目画素を含むｎ×ｍブロック（例えば、７×７ブロック）について領域判定を行い（Ｓ５１〜Ｓ６３）、注目画素の属性を判定する。これにより、注目画素が下地領域（Ｓ５８）、印画紙領域（Ｓ５９）、文字領域（Ｓ６２）、網点領域（Ｓ６３）の何れに属するかが判定される。
【０１１４】
次いで、注目画素について有彩・無彩画素判定処理を実行する（Ｓ６４）。有彩・無彩画素判定処理の詳細については後に詳述することするが、ここでは、ステップＳ５１〜ステップＳ６３の処理により判定された注目画素の属性に基づき、有彩画素判定閾値を設定する。
【０１１５】
次いで、全ての画素の処理が終了したか否かを判断し（ステップＳ６５）、終了していないと判断した場合（Ｓ６５：ＮＯ）、処理をステップＳ５１へ戻す。また、全ての画素の処理が終了したと判断した場合（Ｓ６５：ＹＥＳ）、ステップＳ５８及びＳ５９、並びにステップＳ６２及びＳ６３での計数結果に基づいて原稿判別の判定を行う（ステップＳ６６）。下地領域、印画紙領域、網点領域、及び印画紙領域の各領域について閾値を設定しておき、各領域の計数結果と比較することにより、原稿種別の判定が可能となる。
【０１１６】
なお、画素の属性判定は上記の方法に限定されるものではなく、下記で説明する方法を用いることも可能である。注目画素を中心としたＭ×Ｎ画素（例えば、７×７画素）のブロック内で以下のような判定を行い、それを注目画素の領域識別信号とする。
【０１１７】
ブロック内の画素に対して信号レベルの平均値Ｄａｖｅを求め、その平均値を用いてブロック内の各画素を２値化する。また、最大画素信号レベルＤｍａｘ、最小画素信号レベルＤｍｉｎも同時に求める。
【０１１８】
文字領域では、最大画素信号レベルＤｍａｘと最小画素信号レベルＤｍｉｎとの差が大きく、濃度も高いと考えられることから、Ｄｓｕｂ＞ＰＣ又はＤｍｉｎ＜ＰＢを満たす場合、文字領域と判定する。
【０１１９】
網点領域では、小領域における画像信号の変動が大きいことや、背景に比べて濃度が高いことを利用し、網点領域を識別する。２値化されたデータに対して主走査方向、副走査方向でそれぞれ０から１への変化点数、１から０への変化点数を求めて、それぞれＫＨ，ＫＶとし、閾値ＴＨ，ＴＶと比較して両者が共に閾値を上回った場合、網点領域とする。また、背景との誤判定を防ぐために、先に求めたＤｍａｘ，Ｄｍｉｎ，Ｄａｖｅを閾値Ｂ１，Ｂ２と比較し、Ｄｍａｘ−Ｄａｖｅ＞Ｂ１かつＤａｖｅ−Ｄｍｉｎ＞Ｂ２かつＫＨ＞ＴＨかつＫＶ＞ＴＶである場合、網点領域と判定する。
【０１２０】
上記の２つの判定結果を用いて注目画素の分類を行う。すなわち、網点判定において網点領域であると判定された場合、文字判定の判定結果に依らずに注目画素が網点領域に属すると判定する。また、網点判定において網点領域でないと判定され、文字判定において文字領域と判定された場合、注目画素は文字領域に属すると判定する。更に、網点判定において網点領域でないと判定され、文字判定において文字領域でないと判定された場合、注目画素はその他の領域に属すると判定する。このように注目画素の分類を行い、上記と同様に画素のカウントを行うことによって原稿種別の判定を行うことができる。
【０１２１】
なお、原稿種別の判定は必ずしも行う必要はなく、有彩無彩の判定のみを行うようにしてもよい。
【０１２２】
次に、有彩・無彩画素判定処理について説明する。図１７は有彩・無彩画素判定処理の手順を説明するフローチャートである。有彩・無彩画素判定部５３１は、まず、注目画素が文字領域に属するか否かを判断する（ステップＳ７１）。注目画素が文字領域に属すると判断した場合（Ｓ７１：ＹＥＳ）、有彩画素判定閾値を小さい値に設定し（ステップＳ７２）、本フローチャートによる処理を終了する。
【０１２３】
注目画素が文字領域に属さないと判断した場合（Ｓ７１：ＮＯ）、有彩・無彩画素判定部５３１は、注目画素が網点領域に属するか否かを判断する（ステップＳ７３）。注目画素が網点領域に属すると判断した場合（Ｓ７３：ＹＥＳ）、有彩画素判定閾値を大きい値に設定して（ステップＳ７４）、本フローチャートによる処理を終了し、注目画素が網点領域に属さないと判断した場合（Ｓ７３：ＮＯ）、有彩画素判定閾値をデフォルト値に設定し（ステップＳ７５）、本フローチャートによる処理を終了する。
【０１２４】
次に、ＡＣＳ判定部５４Ａについて説明する。図１８はＡＣＳ判定部５４Ａの構成を説明するブロック図である。ＡＣＳ判定部５４Ａは、有彩画素ヒストグラム作成部５４２、ヒストグラム解析部５４３、及びデータ変換部５４４を備える。各処理部での処理内容は、実施の形態１で説明したＡＣＳ判定部５４に搭載されているものと同様であり、有彩画素ヒストグラム作成部５４２は、上述した有彩・無彩画素判定部５３１により有彩画素と判定されたデータに対してのみヒストグラムを作成するものである。ヒストグラム解析部５４３は、有彩画素ヒストグラム作成部５４２で作成されたヒストグラムを用いてヒストグラムの形状を解析することによりカラー複写するべき原稿であるか、すべきでない原稿であるかの判定を行う。データ変換部５４４は、ヒストグラム解析部５４３でカラー複写すべきでないと判定された場合に、有彩画素をモノクロ複写に最適なデータに変換する処理を行う。例えば、有彩画素と判定された画素を無彩画素（白画素）に置き換えるといった処理が行われる。
【０１２５】
図１９はＡＣＳ判定部５４Ａが実行する処理の手順を説明するフローチャートである。まず、有彩画素ヒストグラム作成部５４２において、有彩・無彩画素判定部５３１により有彩画素と判定されたデータに対してのみヒストグラムを作成する（ステップＳ８１）。次いで、全ての画素の処理が終了したか否かを判断し（ステップＳ８２）、処理が終了していない画素が存在する場合（Ｓ８２：ＮＯ）、ＡＣＳ判定部５４Ａは処理をステップＳ８１へ戻す。
【０１２６】
全ての画素の処理が終了したと判断した場合（Ｓ８２：ＹＥＳ）、後述するヒストグラム解析処理を行い（ステップＳ８３）、ヒストグラムの形状からカラー複写すべき原稿であるか否かを判定する。
【０１２７】
ステップＳ８３の解析結果により、カラー複写用の原稿であるか否かを判断する（ステップＳ８４）。カラー複写用の原稿でないと判断した場合（Ｓ８４：ＮＯ）、有彩画素をモノクロ複写に最適なデータ変換を行う（ステップＳ８５）。一方、カラー複写用の原稿であると判断した場合（Ｓ８４：ＹＥＳ）、データ変換を行うことなく本フローチャートによる処理を終了する。
【０１２８】
図２０はヒストグラム解析処理の処理手順を説明するフローチャートである。まず、最初に有彩画素ヒストグラムにおいて最も度数値の大きい濃度値を検出し（ステップＳ９１）、その濃度値を最大度数濃度値とする。次に、最大度数濃度値とモノクロ複写を行いたい濃度の閾値である濃度閾値（例えば、１５０）との比較を行い、最大度数濃度値が濃度閾値よりも大きいか否かを判断する（ステップＳ９２）。
【０１２９】
最大度数濃度閾値が濃度閾値よりも大きいと判断した場合（Ｓ９２：ＹＥＳ）、最大度数濃度値を中心に予め設定している濃度幅の領域（最大濃度領域）の総度数値を算出する（ステップＳ９３）。濃度幅の値としては、例えば、最大度数濃度値を中心として±８程度がよい。
【０１３０】
次いで、ステップＳ９３で算出した最大濃度領域の総度数値と予め設定している無彩判定度数閾値との比較を行い、最大濃度領域の総度数値が無彩判定度数閾値より大きいか否かを判断する（ステップＳ９４）。ここで、無彩判定度数閾値とは、有彩画素と判定された総画素数に対する割合として設定される値であり、例えば、有彩総画素数×９０％といった値が適切である。
【０１３１】
最大濃度領域の総度数値が無彩判定度数閾値よりも大きいと判断した場合（Ｓ９４：ＹＥＳ）、読取った原稿はモノクロ複写すべき原稿と判定する（ステップＳ９５）。一方、ステップＳ９２にて最大度数濃度値が濃度閾値以下であると判断した場合（Ｓ９２：ＮＯ）、ステップＳ９４にて最大濃度領域の総度数値が無彩判定度数閾値以下であると判断した場合（Ｓ９４：ＮＯ）、読取った原稿はカラー複写すべき原稿と判定する（ステップＳ９６）。
【０１３２】
なお、前述した各閾値については、任意に調節することにより、より原稿データに適切な処理を行うことが可能となる。また、各閾値について予想される複数の値を予めＲＯＭなどの記憶手段に格納しておき、必要に応じて適宜の値が選択されるようにしてもよい。
【０１３３】
上述した処理動作によって、原稿の有彩・無彩が判定され、その結果に基づいて、入力階調補正、色補正、黒生成下色除去処理が切り換えられる。例えば、入力画像がカラー原稿であると判別された場合は、図２に基づいて説明したカラー画像処理が行われる。入力画像がモノクロ原稿であると判別された場合は、入力階調補正処理においてＲＧＢ信号はＫ信号に信号変換され、色補正処理及び黒生成下色除去処理は省略される。なお、空間フィルタ処理、出力階調補正処理及び階調再現処理においては、カラー複写、モノクロ複写ともに同様の処理がなされる。
【０１３４】
上記では、有彩画素のみを抽出してヒストグラムを作成し、ヒストグラムの形状を解析することによりカラー複写するべき原稿であるか否かの判定を行っているが、例えば、特開平４−２８２９６８に記載されている方法にも適用することができる。この方法は、各画素毎にカラー画素であるかモノクロ画素であるかを判別し、与えられる画素順で所定数以上の連続するカラー画素の存在が検知されると、この連続カラー画素分をカラーブロックと認識し、１ライン中に所定数以上のカラーブロックが存在していれば、そのラインをカラーラインとして計数する。そして、原稿中のカラーラインが所定数存在していればカラー画像と判断し、そうでない場合はモノクロ画像と判断するものである。上記の方法において、画素毎にカラー画素であるかモノクロ画素であるかの判別を行う際、画素の属性識別（文字、網点を含む複数の領域の何れに属するのかの判別）を行い、属性識別の結果に基づいてカラー画素、モノクロ画素の判別を行えば良い。
【０１３５】
また、有彩無彩の判定方法としては、上述した方法の他に、（１）ＲＧＢ信号の最大値及び最小値の差分を所定の閾値と比較して判定する方法、（２）ＲＧＢ信号の各色成分の差分の絶対値を求めて閾値とを比較する方法などの公知の手法を用いることも可能である。
【０１３６】
実施の形態３．
実施の形態１では、各処理をハードウェアにより実現する構成としたが、ソフトウェアの処理により本発明の画像処理を実現する構成としてもよい。
【０１３７】
図２１は本発明のコンピュータプログラムがインストールされた画像処理装置の内部構成を説明するブロック図である。図中１００は、本実施の形態に係る画像処理装置であり、具体的にはパーソナルコンピュータ、ワークステーション等である。画像処理装置１００はＣＰＵ１０１を備えており、ＣＰＵ１０１にはＲＯＭ１０３、ＲＡＭ１０４、ハードディスク１０５、外部記憶部１０６、入力部１０７、表示部１０８、通信ポート１０９等のハードウェアがバス１０２を介して接続されている。ＣＰＵ１０１は、ＲＯＭ１０３に予め格納された制御プログラムに従って前述のハードウェア各部を制御する。
【０１３８】
ＲＡＭ１０４は前述の制御プログラム、又は本発明に係るコンピュータプログラムの実行中に生成される各種データを一時的に記憶する揮発性のメモリである。ハードディスク１０５は、磁気記録媒体を有する記憶手段であり、本発明のコンピュータプログラム、処理対象の画像データ等が記憶される。外部記憶部１０６は、本発明のコンピュータプログラムのプログラムコード（実行形式プログラム、中間コードプログラム、ソースプログラム）を記録した記録媒体Ｍからプログラムコードを読取るための読取装置を備えている。記録媒体Ｍとしては、ＦＤ（Flexible Disk）、ＣＤ−ＲＯＭ等を用いることができる。外部記憶部１０６によって読取られたプログラムコードはハードディスク１０５に格納される。ＣＰＵ１０１はハードディスク１０５に格納されたプログラムコードをＲＡＭ１０４上にロードして実行することにより、実施の形態１及び実施の形態２で説明したような本発明に係る画像処理方法を実現する。
【０１３９】
入力部１０７は、外部から画像データを取得するためのインタフェースとして機能する。入力部１０７には、例えば、カラースキャナ装置などが接続される。表示部１０８は、処理対象の画像データ、画像処理中の画像データ、画像処理後の画像データ等を表示するためのインタフェースとして機能する。表示部１０８に液晶ディスプレイ装置などの外部表示装置を接続して画像データを表示する構成であってもよく、表示部１０８自身が表示装置を備え、画像データを表示する構成であってもよい。通信ポート１０９は、外部にプリンタ２００を接続するためのインタフェースである。画像処理された画像データをプリンタ２００にて印刷する場合、画像処理装置１００は、前記画像データを基にプリンタ２００にてデコード可能なプリントデータを生成し、生成したプリントデータをプリンタ２００へ送信する。
【０１４０】
なお、本実施の形態では、各種演算をＣＰＵ１０１が実行する構成としたが、画像処理に係る演算を行う専用のチップを別途設け、ＣＰＵ１０１からの指示により演算を行う構成としてもよい。
【０１４１】
また、上述したプログラムコードを記録する記録媒体Ｍとしては、前述したＦＤ及びＣＤ−ＲＯＭの他に、ＭＯ、ＭＤ、ＤＶＤ等の光ディスク、ハードディスク等の磁気記録媒体、ＩＣカード、メモリカード、光カード等のカード型記録媒体、マスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリの利用も可能である。また、インターネットを含む通信ネットワークを接続可能なシステム構成であることから、通信ネットワークから上述したプログラムコードをダウンロードするようにしてもよい。なお、このように通信ネットワークからプログラムコードをダウンロードする場合には、そのダウンロード用のプログラムは予め本体装置に格納しておくか、あるいは別の記録媒体からインストールされるものであってもよい。
【０１４２】
なお、本発明は、上記プログラムコードが電子的な伝送で具現化された、搬送波に埋め込まれたコンピュータデータ信号の形態でも実現され得る。
【０１４３】
また、本発明のコンピュータプログラムは、単体のアプリケーションプログラム、ユーティリティプログラムとして提供される形態であってもよく、他のアプリケーションプログラム、ユーティリティプログラムに組み込み、そのプログラムの一部の機能として提供する形態であってもよい。例えば、その一形態としてプリンタドライバに組み込んで提供する形態が考えられる。この場合、原稿画像を読取って取得した画像データに対してＡＣＳの判別を行い、判別結果に応じた画像処理を施した後、プリンタ言語に翻訳して目的のプリンタ装置へ送信する処理が行われる。
【０１４４】
実施の形態４．
本実施の形態では、本発明の画像処理装置を画像読取装置に適用した形態について説明する。図２２は本実施の形態に係る画像読取装置の画像処理部の構成を示すブロック図である。画像処理部は、ＡＤ変換部５１、シェーディング補正部５２、原稿種別判定部５３、ＡＣＳ判別部５４を備える。各処理部の処理内容は実施の形態１で説明したものと同様である。上記各処理が施された画像データ及び原稿種別判定信号、ＡＣＳ判別信号は、コンピュータやプリンタに入力される。なお、以上の処理は不図示のＣＰＵにより制御される。上記画像処理部として、実施の形態１で説明した入力階調補正部５５や領域分離処理部５６が含まれる構成としてもよい。
【図面の簡単な説明】
【０１４５】
【図１】本発明に係る画像処理装置の内部構成を説明するブロック図である。
【図２】画像処理部の構成を説明するブロック図である。
【図３】原稿種別判定部の構成を説明するブロック図である。
【図４】原稿種別判定部が実行する処理の手順を説明するフローチャートである。
【図５】各領域における画素濃度分布の一例を示す模式図である。
【図６】各領域の最大濃度差及び総和濃度繁雑度による分布を示す模式図である。
【図７】ＡＣＳ判別部の構成を説明するブロック図である。
【図８】有彩・無彩画素判定部の構成を説明するブロック図である。
【図９】ＡＣＳ判別部における処理の手順を説明するフローチャートである。
【図１０】原稿画像の濃度分布を示すヒストグラムである。
【図１１】原稿画像の濃度分布を示すヒストグラムである。
【図１２】原稿画像の濃度分布を示すヒストグラムである。
【図１３】ヒストグラム解析処理の手順を説明するフローチャートである。
【図１４】原稿種別判定部の構成を説明するブロック図である。
【図１５】有彩・無彩画素判定部の内部構成を説明するブロック図である。
【図１６】原稿種別判定部が実行する処理の手順を示すフローチャートである。
【図１７】有彩・無彩画素判定処理の手順を説明するフローチャートである。
【図１８】ＡＣＳ判定部の構成を説明するブロック図である。
【図１９】ＡＣＳ判定部が実行する処理の手順を説明するフローチャートである。
【図２０】ヒストグラム解析処理の処理手順を説明するフローチャートである。
【図２１】本発明のコンピュータプログラムがインストールされた画像処理装置の内部構成を説明するブロック図である。
【図２２】本実施の形態に係る画像読取装置の画像処理部の構成を示すブロック図である。
【符号の説明】
【０１４６】
１  制御部
３  画像入力部
５  画像処理部
７  画像出力部
９  操作部
５３  原稿種別判定部
５４  ＡＣＳ判別部
５４１  有彩・無彩画素判定部
５４２  有彩画素ヒストグラム作成部
５４３  ヒストグラム解析部
５４４  データ変換部
【図１】
2008035478.tif 000003
【図２】
2008035478.tif 000004
【図３】
2008035478.tif 000005
【図４】
2008035478.tif 000006
【図５】
2008035478.tif 000007
【図６】
2008035478.tif 000008
【図７】
2008035478.tif 000009
【図８】
2008035478.tif 000010
【図９】
2008035478.tif 000011
【図１０】
2008035478.tif 000012
【図１１】
2008035478.tif 000013
【図１２】
2008035478.tif 000014
【図１３】
2008035478.tif 000015
【図１４】
2008035478.tif 000016
【図１５】
2008035478.tif 000017
【図１６】
2008035478.tif 000018
【図１７】
2008035478.tif 000019
【図１８】
2008035478.tif 000020
【図１９】
2008035478.tif 000021
【図２０】
2008035478.tif 000022
【図２１】
2008035478.tif 000023
【図２２】
2008035478.tif 000024